(57)【特許請求の範囲】
【請求項１】
機枠の前面側に配設されたコンベアによって該機枠の前面に沿って一側方から他側方に向かって搬送される袋の口部をこのコンベアと並行して配設した挟持ベルトによって挟持しながら袋内の脱気と袋内に対するガス充填との少なくともいずれか一方を行ったのち、シール装置により上記袋の口部をシールするように構成したシール機において、上記挟持ベルトの長手方向と直交する方向に該挟持ベルトから後方に離間した個所でこの挟持ベルトの長手方向に沿って往復動する移動フレームを配設し、この移動フレームに、脱気孔とガス注入孔とを有するノズルを前端に固着させているノズル取付部材を該移動フレームの往復動方向と直交する前後方向に移動自在に支持させていると共に、移動フレームの後面に後方に向かってガイド棒を突設してこのガイド棒にノズル取付部材の下面に固着した摺動片を前後摺動自在に被嵌させ、この摺動片をスプリング力により移動フレームの後面に当接、受止させることによりノズルを前方に向かって突出させている一方、上記移動フレームを引張手段により上記機枠の一側方に向かって常時張引させて、この引張力により機枠の一側壁面に移動フレームを当接、受止させることにより、その当接位置を挟持ベルトの挟持始端部から一側方に小間隔を存したノズル待機位置とし、この待機位置でノズルに袋の口部を挿入させて該袋を挟持ベルトに挟持させることにより、ノズルを袋の口部における一側内面に係止させてこのノズルを支持している上記移動フレームを上記引張手段の引張力に抗して往復動方向にガイドする水平ガイドロッドに沿って袋と一体に他側方に向かって往動させるように構成してあり、さらに、移動フレームの往動端側に、上記摺動片の下端開口部を係脱自在に係止させて後方に回動することにより上記スプリング力に抗してノズル取付部材を後退させてノズルを袋の口部から後方に離脱させる係合突起を突設した回動アームを配設していると共に、ノズル取付部材の往復移動経路の上方に、上記ノズル取付部材が後退した時に該ノズル取付部材の上面に突設している係合子が後方に通過するのを許容し、通過後に上記摺動片の下端開口部が上記係合突起から外れた際に、その後面で上記係合子を受止してノズルを後退位置に保持する回動板を配設し、この回動板の後面に係合子を摺動させながら上記引張手段による引張力でノズル取付部材を復動させて上記ノズル待機位置側に達した時に係合子を回動板から離脱させてノズルを待機位置に突出させるように構成していることを特徴とする袋の口部シール機における袋内の脱気兼ガス充填装置。
【発明の詳細な説明】
【０００１】
【発明の属する技術分野】
本発明は、内部に粉状或いは粒状の食品等の物品を収納してなる袋の口部を自動的にシールするシール機において、袋がシールを行う装置にまで搬送されるまでに該袋内の脱気と袋内への窒素ガス等のガスの充填とのいずれか、又は、両方を行うようにした袋の口部シール機における袋内の脱気兼ガス充填装置に関するものである。
【０００２】
【従来の技術】
従来から、食料品や嗜好品等の物品を収納した袋内を脱気したのち、該袋の口部をシールする自動シール機としては、例えば、特開昭５９−１３３２号公報や特開平１１−１３００１８号公報に記載されているシール機が知られている。これらのシール機はいずれも脱気手段とシール手段とを備えてあり、コンベアによって搬送される物品収納袋内の空気を脱気手段によって排除したのち、挟持ベルトによって該袋の口部を挟持しながらシール手段に連続的に送り込んで袋の口部のシールを行っている。
【０００３】
このようなシール機において上記脱気手段の構造は、前者においては上下一対の挟持ベルトの挟持始端部を上下に離間させておき、この離間部に固定脱気ノズルを臨ませた状態に配設して袋の口部開口端を該脱気ノズルの開口端に沿って移動させながら脱気ノズルからの吸気力によって袋内を脱気したのち、シール手段側に送り込むように構成しており、後者においてはコンベアの搬送始端部側の上方に、下端に下向きに開口した脱気ノズルを装着している可動管を移動フレームに上下昇降自在に配設すると共に上記移動フレームを左右一対の挟持ベルトに向かって往復移動可能に配設し、袋を起立させてその口部内に上記脱気ノズルを挿入させた状態でコンベア上を挟持ベルトに向かって移動させ、その移動中に脱気ノズルによって袋内を脱気したのち、該脱気ノズルを上昇させて袋の口部から離脱させ、挟持ベルトにより口部を挟持してシール手段側に搬送するように構成している。
【０００４】
【発明が解決しようとする課題】
しかしながら、前者の脱気手段においては、固定脱気ノズルの開口端に袋の口部開口端を摺接させながら袋内の脱気を行うものであるから、脱気ノズルからの吸気力を全て袋内の脱気に作用させることができなくて効率が悪いばかりでなく、吸気力によって袋の口部が閉止して脱気作用が行われなくなる場合が生じるという問題点がある。
【０００５】
このような問題点は後者のように脱気ノズルを袋の口部内に挿入することによって解消することができるが、後者の方法によればコンベア上に起立させた状態で載置した袋が挟持ベルトに達するまでにその口部が撓んで挟持ベルトに正確に挟持させることが困難となり、そのため、該袋の口部の一端部内に脱気ノズルを挿入、係止させた状態で該他端部を人手により把持しながら挟持ベルト側に送り込む作業を必要とする。
【０００６】
さらに、上記いずれの脱気手段においても、脱気ノズルにより脱気された直後には、袋の口部の一部が挟持ベルトにより挟持されておらず、その間に袋内に外気が入って完全な脱気ができなくなるという問題点がある。また、袋内に収納する物品によっては、カビなどの発生を抑制して長期保存を可能にするための窒素ガス等のガスを充填する必要があるが、この場合には、上記シール機とは別にガス充填機を用いて袋内にガスを注入、充填しなければならず、その作業に多大な手間と労力を要する上に、袋内を完全に脱気させた状態で袋内にガスを充填することが困難である等の問題点があった。
【０００７】
本発明はこのような問題点に鑑みてなされたもので、その目的とするところは物品を収納した袋内の脱気を確実且つ能率よく行えると共に脱気と同時に袋内へのガスの充填や脱気をすることなくガスのみの充填を可能にした袋の口部シール機における袋内の脱気兼ガス充填装置を提供するにある。
【０００８】
【課題を解決するための手段】
上記目的を達成するために、本発明の袋の口部シール機における袋内の脱気兼ガス充填装置は、請求項１に記載したように、機枠の前面側に配設されたコンベアによって該機枠の前面に沿って一側方から他側方に向かって搬送される袋の口部をこのコンベアと並行して配設した挟持ベルトによって挟持しながら袋内の脱気と袋内に対するガス充填との少なくともいずれか一方を行ったのち、シール装置により上記袋の口部をシールするように構成したシール機において、上記挟持ベルトの長手方向と直交する方向に該挟持ベルトから後方に離間した個所でこの挟持ベルトの長手方向に沿って往復動する移動フレームを配設し、この移動フレームに、脱気孔とガス注入孔とを有するノズルを前端に固着させているノズル取付部材を該移動フレームの往復動方向と直交する前後方向に移動自在に支持させていると共に、移動フレームの後面に後方に向かってガイド棒を突設してこのガイド棒にノズル取付部材の下面に固着した摺動片を前後摺動自在に被嵌させ、この摺動片をスプリング力により移動フレームの後面に当接、受止させることによりノズルを前方に向かって突出させている一方、上記移動フレームを引張手段により上記機枠の一側方に向かって常時張引させて、この引張力により機枠の一側壁面に移動フレームを当接、受止させることにより、その当接位置を挟持ベルトの挟持始端部から一側方に小間隔を存したノズル待機位置とし、この待機位置でノズルに袋の口部を挿入させて該袋を挟持ベルトに挟持させることにより、ノズルを袋の口部における一側内面に係止させてこのノズルを支持している上記移動フレームを上記引張手段の引張力に抗して往復動方向にガイドする水平ガイドロッドに沿って袋と一体に他側方に向かって往動させるように構成してあり、さらに、移動フレームの往動端側に、上記摺動片の下端開口部を係脱自在に係止させて後方に回動することにより上記スプリング力に抗してノズル取付部材を後退させてノズルを袋の口部から後方に離脱させる係合突起を突設した回動アームを配設していると共に、ノズル取付部材の往復移動経路の上方に、上記ノズル取付部材が後退した時に該ノズル取付部材の上面に突設している係合子が後方に通過するのを許容し、通過後に上記摺動片の下端開口部が上記係合突起から外れた際に、その後面で上記係合子を受止してノズルを後退位置に保持する回動板を配設し、この回動板の後面に係合子を摺動させながら上記引張手段による引張力でノズル取付部材を復動させて上記ノズル待機位置側に達した時に係合子を回動板から離脱させてノズルを待機位置に突出させるように構成している。
【０００９】
【作用】
物品を収納した袋をコンベアの搬送始端側に載置してその口部をシール機の一側端部において突出状態で待機しているノズルに被せると共に袋の他側端部を挟持ベルトの挟持始端部に送り込んで該挟持ベルトにより挟持させると、挟持ベルトの移行によって袋がコンベア上をシール機の他側方に向かって搬送され、その搬送開始時に袋の一側端の折目の内面にノズルが係止して該ノズルを前後動自在に支持している移動フレームが袋と共に一体的に移動し、袋の口部内に挿入したノズルが挟持ベルトで挟持されながらシール装置側に移動する。一方、ノズルが袋と共に移動を開始すると、吸気用開閉バルブが開らいて真空ポンプからの吸気力が配管を通じてノズルに作用し、袋内の空気が吸入、脱気される。
【００１０】
そして、ノズルがシール装置に達する直前まで移動した時に、吸気用開閉バルブが閉じて真空ポンプによる脱気作用が遮断されると共に移動フレームに前後動自在に支持されてノズルが後退して袋の口部から離脱する。この時、袋内の脱気作用はノズルが袋の口部と共に挟持ベルトで挟持された状態において行われるので、脱気後、袋の口部からノズルが抜き取った際に、ノズルを挿入させていた袋の口部が挟持ベルトにより瞬時に挟持され、袋内に外気が入ることはない。ノズルが袋の口部から後退すると、袋の口部がシール装置に搬入されてシールされる一方、ノズルは元の待機位置まで復帰する。
【００１１】
また、袋内の脱気後、袋内に窒素ガス等のガスを充填するには、ノズルによって袋内を脱気したのち該ノズルが後退するまでの間に、該ノズルにガスを供給して脱気された袋内に充填し、しかるのち、ノズルを後退させる。また、袋内を脱気することなく、ガスのみを袋内に充填する場合には、真空ポンプからの吸気を遮断状態にし、ノズルによるガスの充填工程のみを行う。この場合も、袋の搬送、及び、袋の口部に対するノズルの進退動作は上記と同じである。
【００１２】
上記ノズルを前後動自在に支持した移動フレームは、ノズル待機位置と挟持ベルトの挟持端部の後方部との間を往復動するものであるが、往動は上述したように、ノズルが袋の一側端部内に係止して袋の搬送に従って移動することにより行われ、復動は、移動フレームを常時ノズル待機位置側に付勢している引張紐等からなる引張手段によって行われて袋の口部から離脱したノズルを元の待機位置まで復帰させるものである。
【００１３】
また、移動フレームに対するノズルの前後動機構は、常態においては、スプリング力によってノズルを前方に突出させておき、脱気等が完了した時に、移動フレームの往動端側に配設している回動アームの係合突起をノズル取付部材の下面に装着している摺動溝に係合させて該回動アームの回動によりノズルを後退させる。そして、回動アームの係合突起から摺動溝が離脱したときに、該ノズル取付部材の上面に突設している係合子を移動フレームの後方に配設された回動板の後面に当接、受止させてノズルを後退位置に保持させながら、移動フレームを回動板に沿って復動させ、待機位置側に達した時に係合子を回動板から離脱させる。
【００１４】
【発明の実施の形態】
次に本発明の具体的な実施の形態を図面について説明すると、図１において、Ａは食品等の物品を収納した袋Ｃの口部ｃをシールするシール機であって、その機枠１の前面側に一側方から他側方に向かって水平に移行するベルトコンベア２を一体に配設していると共に、上記機枠１の一側部に袋Ｃ内の脱気と該袋Ｃ内への窒素ガス等のガスの充填とを行う脱気兼ガス充填装置Ｂを一体に組み込んでなるものである。
【００１５】
このシール機Ａには、上下一対の袋口部搬送用挟持ベルト3A、3Bが互いにその対向挟持面を接した状態で機枠１の前面の一側部と他側端部とに回転自在に軸支された上側プーリ31、32間と下側プーリ33、34間にそれぞれ無端状に掛け渡されていると共に、これらの上下一対の挟持ベルト3A、3Bの後方側に上下一対のシール用ベルト4A、4Bが互いにその対向挟持面を接した状態で機枠１の前面の中央部と他側端部とに回転自在に軸支された上側プーリ41、42間と下側プーリ43、44間にそれぞれ上記挟持ベルト3A、3Bに近接し且つ並行した状態で無端状に掛け渡されている。
【００１６】
上記上下一対の挟持ベルト3A、3Bは図３に示すように、厚みが0.8mm のスチール製又はグラスファイバ製の薄肉ベルト芯30に一定厚み（10mm）を有するスポンジよりなる弾性ベルト部30’を一体に層着してなる一方、上記上下一対のシール用ベルト4A、4Bは挟持ベルト3A、3Bの芯30と同一材料よりなり且つ厚みが0.3mm に形成されている。また、これらの挟持ベルト3A、3Bとシール用ベルト4A、4Bとにおける互いに接した水平挟持面の高さは、上記ベルトコンベア２によって搬送される袋Ｃの口部ｃの高さに略等しい高さ位置となるように配設されている。なお、挟持ベルト3A、3Bとシール用ベルト4A、4Bとの他側端部側のプーリ31、33及び41、43は駆動プーリであって、機枠１のベルトコンベア２の駆動側ローラ（図示せず）と同じの駆動モータ（図示せず）によって同時に回転駆動させられるように構成している。
【００１７】
挟持ベルト3A、3Bとシール用ベルト4A、4Bの駆動プーリ31、33及び41、43は、図４に示すように、駆動モータからチエーン等の駆動伝達機構を介して回転されられるスプロケットホイール35、35、45、45によってそれぞれ回転駆動される。その構造は、挟持ベルト3A、3Bの駆動プーリ31、33とスプロケットホイール35との中心間を回転軸36によって一体に連結し、この軸36にメタルを介して被嵌した軸筒46の両端にシール用ベルト4A、4Bの駆動プーリ41、43とスプロケットホイール45をそれぞれ固着していると共に、挟持ベルト3A、3Bの駆動プーリ31、33に回転を伝達するスプロケットホイール35をシール用ベルト4A、4Bの駆動プーリ41、43に回転を伝達するスプロケットホイール45よりも小径に形成して、例えば、小径スプロケットホイール35と大径スプロケットホイール45との回転比を1.33：１とし、且つ駆動プーリ31、33に掛け渡した挟持ベルト3A、3Bの外径と駆動プーリ41、43に掛け渡したシール用ベルト4A、4Bの外径とを同一径になるように構成して挟持ベルト3A、3Bを掛け渡した駆動プーリ31、33をシール用ベルト4A、4Bを掛け渡した駆動プーリ41、43よりもその回転速度を所定速度だけ速くすることにより、挟持ベルト3A、3Bの周速度がシール用ベルト4A、4Bの周速度よりも速くなるにもかかわらず、プーリ間を移行するこれらの挟持ベルト3A、3Bとシール用ベルト4A、4Bとが同一速度で移行するように構成している。
【００１８】
上下一対のシール用ベルト4A、4Bによる袋Ｃの口部挟持始端部、即ち、上下従動プーリ42、44の位置は、上述したように機枠１の正面中央部に設けられている機枠１の正面一側部に設けられた上記上下一対の挟持ベルト3A、3Bによる袋Ｃの口部挟持始端部、即ち、上下従動プーリ32、34の位置よりも袋搬送方向に離間してあり、また、シール用ベルト4A、4Bの対向挟持面の中央部を挟むようにして上下一対のシール用ヒータ4C、4D（図１に示す）が配設されている。
【００１９】
一方、上記機枠１の一側部に配設している脱気兼ガス充填装置Ｂは図５〜図７に示すように、挟持ベルト3A、3Bの従動プーリ32、34の後方側における機枠１の一側機枠部1'に配設されていて、前端にノズル５を固着している前後方向に長い矩形状のノズル取付部材5'と、このノズル取付部材5'を前後方向に移動自在に支持した縦長矩形状の移動フレーム６と、この移動フレーム６を上記ノズル５が上記挟持ベルト3A、3Bの挟持始端部から一側方に小間隔を存したノズル待機位置とこの挟持ベルト3A、3Bに挟持されて上記シール用ベルト4A、4Bの始端部一側方に達する位置との間を往復動させる往復動機構７と、上記ノズル５を前後移動させる前後動機構８と、ノズル後退位置保持機構９と、上記ノズル５の先端ノズル口51に連通した脱気管路10及びガス充填管路11とから構成されている。
【００２０】
上記機枠部1'の一側壁1aは挟持ベルト3A、3Bの挟持始端部、即ち、上記従動プーリ32、34の位置よりも一側方に設けられている一方、他側壁1bは挟持ベルト3A、3Bの挟持始端部から他側方に設けられてあり、さらに、機枠部1'の前壁面中央部には上記ノズル取付部材5'を前後進退自在に且つ水平方向への移動を案内する横長長方形状の水平開口部1cを両側壁1a、1b間に亘って設けている。また、上記ベルトコンベア２の搬送始端部は挟持ベルト3A、3Bの従動プーリ32、34の前方位置にあり、その位置よりも一側方のベルトコンベア延長線上部には、図１に示すように袋Ｃを横置状態で載置させる袋搬入水平固定台2Aに形成し、上記ノズル５は袋搬入時にはこの水平固定台2A上に上記水平開口部1cの一側端から突出した状態で待機するように構成している。
【００２１】
上記脱気兼ガス充填装置Ｂの各部の具体的な構造を説明すると、ノズル取付部材5'を前後移動自在に支持した上記移動フレーム６は、その中央下部に横長長方形状の挿通支持口61を設けて該挿通支持口61にノズル取付部材5'を前後移動自在に挿通、支持してあり、この移動フレーム６を挟持ベルト3A、3Bの後方において、この挟持ベルト3A、3Bの長手方向に沿って平行する方向に左右往復移動させる往復動機構７は、上記機枠部1'の両側壁1a、1bの前端部下端間に水平ガイドロッド71を固定すると共に機枠部1'の天壁下面に水平ガイド溝72を設けて、移動フレーム６の下端部に設けた孔62と上端部に回転自在に軸支した転子63をそれぞれ上記水平ガイドロッド71と水平ガイド溝72に沿って摺動移動自在に支持させている。
【００２２】
さらに、図７に示すように移動フレーム６の上端部一側面に引張紐73の上端部を固着し、この引張紐73を機枠部1'の外部に引き出してガイド74を介して該機枠部1'の一側壁外面に沿って垂下させ、その垂下端に重錘75を取付けて該重錘75により移動フレーム６を引き寄せて上記ノズル５の一側面後端部に突設している間隔保持片51を図６に示すように、機枠部1'の一側壁面1aの突出壁部1a' に当接させ、その当接位置をノズル５の待機位置にして該位置からノズル５を挟持ベルト3A、3Bの挟持始端部に向かって往動させるようにしていると共に上記間隔保持片51によってノズル５と機枠部1'の突出壁部1a’との間に袋Ｃの口部ｃの一側端部を介入可能な間隔部を設けてノズル５に対する袋Ｃの口部ｃの被覆作業を円滑に行えるように構成している。なお、間隔保持片51に代えて移動フレーム６の一側面を機枠部1'の一側内面に当接させるようにしてもよい。
【００２３】
上記ノズル５を前後移動させる移動機構８は、移動フレーム６の後面下部に後方に向かって水平にガイド棒81を突設し、このガイド棒81にノズル取付部材5'の後端部下面に固着した下向きコ字状の横長長方形状枠からなる摺動片82を前後摺動自在に被嵌していると共にガイド棒81の後端スプリング受け83と摺動片82の後端面との間にスプリング84を圧入して常態においてはこのスプリング84の弾発力により摺動片82の前端を移動フレーム６の後端下部に固着している弾性を有する受止座部64に当接、受止させてノズル取付部材5'をその前端ノズル５が挟持ベルト3A、3Bの挟持始端部の延長線上に達する位置まで前方に突出させている。
【００２４】
さらに、機枠部1'の内底面における他側部上には、上記摺動片82の下向きに開口した下端開口部82a の水平移動経路上に位置して該下端開口部82a に係脱可能な転子からなる係合突起85を上方に向かって先端に突設している回動アーム86を回動自在に軸支87していると共にこの回動アーム86の後端に突出片部88を後方に向かって突設している。そして、上記移動フレーム６が往動して機枠部1'の他側部、即ち、上下一対のシール用ベルト4A、4Bの始端近傍部の後方に達した時にノズル取付部材5'に固着している上記摺動片82の下端開口部82a が上記係合突起85に被嵌、係合したのち、回動アーム86を後方に向かって回動させることにより移動フレーム６に対してノズル取付部材5'をスプリング84の力に抗して後退させ、ノズル５を袋Ｃの口部ｃから後方に抜き取ると共にノズル取付部材5'がノズル後退位置保持機構９によってその後退位置を保持されながら元位置に向かって復動し、一方、回動アーム86がその回動により摺動片82の下端開口部82a から係合突起85を離脱させたのち前方に向かって回動して上記突出片部88を機枠部1'の内底面に設置しているリミットスイッチ100 に当接させて元の状態に復帰するように構成している。89は回動アーム86の回動用モータである。
【００２５】
また、上記ノズル後退位置保持機構９は、ノズル取付部材5'の左右移動経路の上方に配設されてその両端が機枠部1'の両側壁1a、1bに回動自在に支持された回動軸91と、この回動軸91に前面中央部を一体に固着している垂直板部92a の上端に水平係止板部92b を後方に向かって屈曲形成してなる一定長さを有する断面逆Ｌ字状の回動板92と、機枠部1'の上壁面中央部に下方に向かって突設し且つその下端部を前方に向かって屈折させて上記回動板92の水平係止板部92b をその上面に係脱自在に係止させる受止片部93a に形成してなる固定係止板93と、回動板92の垂直板部92a の後面中央部に後方に向かって斜め上方に突設してその後端部を上記固定係止板93の受止片部93a の下面に当接させて回動板92がそれ以上回動するのを阻止するストッパ突片94と、上記ノズル取付部材5'の後部上面に上方に向かって突設してなる係合子95とから構成されている。
【００２６】
そして、上記回動板92は、その一側端を機枠部1'の左右長さ方向の中間部に位置させていると共に他側端を上記往復回動アーム86の先端（前端）に突設している係合突起85の後方に位置させてあり、且つその重心を常に回動軸91の斜め後方部上方に位置させて常時、固定係止板93の受止片部93a にその水平係止板部92b を係止させる方向に付勢させている。なお、回動板92はその重心位置によることなくスプリング力によってその水平係止板部92b を固定係止板93の受止片部93a に係止させる方向に付勢させておいてもよい。
【００２７】
また、上記ノズル取付部材5'に突設している係合子95は、該ノズル取付部材5'が移動フレーム６と一体に往動する時には、上記回動板92の垂直板部92a の前方側でこの垂直板部92a に平行に移動し、ノズル取付部材5'が上記往復回動アーム86の回動によって後退させられた時に、該ノズル取付部材5'と一体的に後退する係合子95が、その後端傾斜面95a を回動板92の垂直板部92a の前面下端部に当接させて該回動板92をその水平係止板部92b が固定係止板93の受止片部93a から離れる方向に回動させながら回動板92の垂直板部92a の下端を乗り越えるようにして通過する。
【００２８】
さらに、該係合子95の通過後、回動板92が直ちに元の状態に復帰すると同時にノズル取付部材5'がその下端摺動片82を往復回動アーム86の係合突起85から離脱させ、スプリング84の弾発力によって前進して係合子95の前端面を回動板92の垂直板部92a の後面に当接させ、それ以上の前進を阻止されてノズル５を後退位置に保持しながら該垂直板部92a に沿ってノズル取付部材5'を元位置に向かって移動させ、回動板92の垂直板部92a の一側端から係合子95が離脱した時にスプリング84の弾発力によってノズル取付部材5'が前進してノズル５を前方に突出させ、この状態で元位置まで復帰させるように構成している。なお、上記係合子95は、ノズル取付部材5'の上面に固着した構造としているが、截頭円錐形状に形成してその中心部をノズル取付部材5'の上面に回転自在に軸支した構造としておいてもよく、このように構成すれば、係合子95が回動板92の垂直板部92a の後面に回転しながら円滑に移動させることができる。
【００２９】
上記ノズル５は図８、図９に示すように、正面横長矩形状の両側部を徐々に薄くした薄肉部に形成された形状を有していると共に、その前端中央部を前端面から一定幅でもって所定長さだけ切断して二股状に形成し、さらに、ノズル５の両側内部に断面円形状の脱気孔10a とガス注入孔11a とを設けていてこれらの脱気孔10a とガス注入孔11a の前端対向部を上記二股状に分岐部の対向面間の空隙部52に開口させている。さらに、これらの脱気孔10a とガス注入孔11a 内にコイルスプリングからなる螺旋条体53を内装して該螺旋条体53の螺旋ピッチ間の隙間を通じて脱気及びガスの注入を行い、脱気時における吸気力によって袋Ｃ内の粉粒状物品が脱気孔10a やガス注入孔11a 内に多量に吸入されるのを阻止するように構成している。
【００３０】
脱気管路10とガス充填管路11とは上記ノズル取付部材5'に設けた脱気通路10b とガス充填通路11b をそれぞれ上記脱気孔10a とガス注入孔11a に連通させていると共にこれらの脱気通路10b とガス充填通路11b にノズル取付部材5'の後端面に連結した脱気短管10c とガス充填短管11c とに連通させ、さらに、これらの脱気短管10c とガス充填短管11c とを可撓性を有する脱気ホース10d とガス充填ホース11d を通じてそれぞれ真空ポンプ11e とガスボンベ11f とに連結、連通してなるものである。なお、脱気ホース10d のホース中には、開閉バルブや吸気調整バルブ、吸引された食品等の粉末状物の捕集函（図示せず）が設けられてあり、ガス充填ホース11d 中には、開閉バルブやガス充填量調整バルブ（図示せず）が設けられている。
【００３１】
また、移動フレーム６が移動を開始すると同時に真空ポンプ10e の作動スイッチ（図示せず）が作動するように構成していると共に移動フレーム６の他側面に第１当接片65と第２当接片66が固定されてあり、これらの第１当接片65と第２当接片66が移動フレーム６の往復経路中における一側機枠部1'に装着したリミットスイッチ（図示せず）にそれぞれ当接した時に、ガス供給用開閉バルブを開らくと同時に吸気用バルブを閉止して真空ポンプ10e からの吸気を遮断させノズル５による吸気を停止させる動作と、上記回動アーム86の回動用モータ89を作動させてノズル５を後退させると共にガス供給用開閉バルブを閉止する動作とをそれぞれ行わせるように構成している。さらに、機枠１の適所には、図１に示すように、脱気とガス充填との両方を行わせるための押しボタン200 と、ガス充填のみを行わせるための押しボタン201 と、脱気のみを行わせるための押しボタン202 と、電源をオン、オフするための押しボタン203 とを設けている。なお、物品収納袋Ｃは、両側端に折目部c1、c2を有する偏平な合成樹脂製袋である。
【００３２】
以上のように構成した脱気兼ガス充填装置を備えた袋の口部シール機の作用を述べると、脱気とガス充填を行う際には、電源をオンしてシール機Ａを作動状態にしたのち、上記押しボタン200 を押し、しかるのち、粉粒状の食品、或いはコーヒ豆などの物品を収納した袋Ｃを水平固定台2A上にその口部をノズル５側に向けて寝かせた状態で載置すると共に該袋Ｃの口部ｃをノズル５に被せるようにして該ノズル５を口部ｃ内に挿入させ、この状態にして袋Ｃの口部ｃにおける他側端折目部c2を上下一対の挟持ベルト3A、3Bの挟持始端部に挟持させると、この挟持ベルト3A、3Bの他側方への移行（運行）によって袋Ｃがベルトコンベア２上をシール装置を構成している上下一対のシール用ベルト4A、4Bに向かって搬送を開始する。
【００３３】
この袋Ｃの搬送が開始すると、該袋Ｃの口部ｃにおける一側端折目部c1の内面にノズル５の間隔保持片51の一側端が図10に示すように係合してノズル５が袋Ｃと一体的に移動を開始する。このノズル５の移動により、該ノズル５のノズル取付部材5'を前後動自在に支持している移動フレーム６が下端に重錘75を取付けている引張紐73を重錘75の重量に抗して引き寄せながらその上下部水平ガイドロッド71と水平ガイド溝72に沿って一体に移動する。さらに、ノズル５の移動開始と同時に脱気ホース10d 中の開閉バルブが開いて真空ポンプ10e から脱気管路10を通じてノズル５の脱気孔10a に吸気力を発生させ、袋Ｃ内の空気を吸引、除去する。
【００３４】
そして、この脱気作用はノズル５が袋Ｃの口部ｃと共に上下挟持ベルト3A、3Bの挟持面を形成している弾性ベルト部30' 、30' によって図11に示すように挟持されながらシール用ベルト4A、4Bに近接する位置に達するまで行われ、移動フレーム６に固定している第１当接片65がリミットスイッチに当接した時に、開閉バルブが閉じて真空ポンプ10e 側からの吸気が遮断し、ノズルによる吸気が停止して脱気を完了すると同時にガス供給用開閉バルブが開放してガスボンベ11e からガス充填管路11を通じて上記ノズル５のガス注入孔11a から袋Ｃ内に窒素ガス等のガスが瞬時に充填され、袋Ｃの他側端折目部C2が上下一対のシール用ベルト4A、4Bの挟持始端部に挟持され且つノズル５がその挟持始端部に達する直前に移動フレーム６の固定している第２当接片66がリミットスイッチに当接してガスの供給用開閉バルブを閉止させる共に前後動機構８の回動アーム86の回動用モータ89を作動させてノズル５を後退させる。
【００３５】
上下一対のシール用ベルト4A、4Bに口部ｃを挟持された袋Ｃは、該シール用ベルト4A、4Bの移行速度と同調して巡回移行するベルトコンベア２により機枠１の他側方に搬送され、シール用ヒータ4C、4Dによって口部ｃが融着、封止される。一方、ノズル５が上下一対のシール用ベルト4A、4Bの挟持始端部の近傍部に達した時に、ノズル取付部材5'の下面に固着している摺動片82の下端開口部82a が回動アーム86の先端に突設している係合突起85に被嵌、係合し、この状態から上記回動用モータ89が１回転作動してその半回転時に回動アーム86が後方に回動し、ノズル取付部材5'が移動フレーム６に穿設している該ノズル取付部材5'の挿通支持口61に対してスプリング84の力に抗して後退し、上述したようにシール用ベルト4A、4Bの始端部に達する直前にノズル５を袋Ｃの口部ｃから後方に抜き取る。
【００３６】
回動アーム86の半回転によってノズル取付部材5'が後退させられると、その上面に突設している係合子95がその後端傾斜面95a を移動フレーム６の後方に配設している回動板92の垂直板部92a の前面下端部に当接させて該回動板92を、機枠部1'から垂設している固定係止板93の受止片部93a に係止しているその水平係止板部92b を該固定係止板93の受止片部93a から離れる方向に回動させながら回動板92の垂直板部92a の下端を乗り越えるようにして通過する。こうして、係合子95が回動板92の後方に到ると、回動板92が元の姿勢に復帰すると同時に、回動アーム86の上記半回転から連続的に回動する次の半回転によって該回動アーム86の係合突起85がノズル取付部材5'の下端摺動片82の開口部82a から離脱し、図５に２点鎖線で示すように、ノズル取付部材5'がスプリング84の弾発力によって前進して係合子95の前端面を回動板92の垂直板部92a の後面に当接させる。
【００３７】
このように、ノズル取付部材5'の上面に突設している係合子95が回動板92の垂直板部92a の後面に当接、受止されると、それ以上の前進を阻止されてノズル５が上下一対の挟持ベルト3A、3Bから後方の後退位置に保持される一方、ノズル取付部材5'の摺動片82と回動アーム86の係合突起85との係合が解かれると、ノズル５を支持している移動フレーム６がその一側面に連結している引張紐73の下端に連結した重錘75の重量によって機枠部1'の一側方に引き寄せられ、ノズル取付部材5'の上記係合子95が回動板92の垂直板部92a の後面に摺動しながら該ノズル取付部材5'を支持している移動フレーム６が元の待機位置に向かって移動する。
【００３８】
そして、係合子95が回動板92の一側端に達すると該回動板92から離脱し、スプリング84の弾発力によってノズル取付部材5'が前進してノズル５を元の突出状態にまで前進させ、この状態で待機位置まで移動したのち、待機位置で停止して次の袋Ｃの口部シールに備えるものである。
【００３９】
また、このシール機Ａにおいては、脱気兼ガス充填装置Ｂの少なくともいずれか一方を行うことが可能であり、例えば、脱気のみを行う場合にはその押しボタン202 を押すことによってガス充填を停止状態にし、収納物がコーヒ豆などのようにカビが発生しやすくてその発生を防止するために窒素ガス等のガスのみの充填を行う場合には、ガス充填用押しボタン201 を押すことによって脱気を行うための真空ポンプ10e を停止状態にすればよく、いずれの場合であっても、一つのノズル５によって上記動作をそのまま行わせながら脱気或いはガス充填を行うことができる。
【００４０】
【発明の効果】
以上のように本発明の請求項１に係る袋の口部シール機における袋内の脱気兼ガス充填装置によれば、コンベアによって搬送される袋の口部を挟持ベルトによって挟持しながら該挟持ベルトに並行して配設したシール装置により上記袋の口部をシールするように構成したシール機において、上記挟持ベルトの長手方向と直交する方向に該挟持ベルトから後方に離間した個所でこの挟持ベルト長手方向に沿って往復移動する移動フレームを配設すると共にこの移動フレームに該移動フレームの往復動方向と直交する前後方向に往復動して上記袋の口部に対して挿入、離脱するノズルを支持させると共にこのノズルに配管を通じて吸気源とガス供給源を連結、連通させ、袋の口部内にノズルを挿入した状態で該袋を挟持ベルトに向かって搬入して袋内の脱気と袋内に対するガス充填との少なくともいずれか一方を行ったのち、ノズルを後退させて袋の口部から離脱させるように構成しているので、一つのノズルによって袋内の空気の排除、即ち、脱気と、袋内へのガスの充填とを同時に或いは別々に行うことができ、その上、ノズルを袋の口部に挿入して脱気やガスの充填を行うものであるから、確実且つ円滑な脱気とガスの充填を可能にし得るものである。
【００４１】
さらに、ノズルは挟持ベルトの長手方向と直交する方向に該挟持ベルトから後方に離間した個所でこの挟持ベルトの長手方向に沿って往復移動する移動フレームに、この移動フレームの往復動方向と直交する前後方向に往復動自在に支持されているので、ノズルを袋内に挿入したまま移動フレームの移動によって袋内の脱気やガス充填が正確に行わせることができると共に脱気やガス充填の終了時には、ノズルを移動フレームに対して円滑に後退させて袋の口部からの離脱を行わせることができ、ノズルの動作が軽快に行われて上記移動フレームの往復移動と共に袋の脱気作業やガス充填作業が能率よく行えるものである。
【００４２】
また、上記ノズルを前後動自在に支持した移動フレームを常時引張紐等からなる引張手段によってノズル待機位置側に付勢しているものであるから、ノズルが袋の一側端部内に係止して袋の搬送に従って移動する往動時には、その引張手段の引張力に抗して水平ガイドロッドに沿って移動フレームをシール装置側に移動させることができ、脱気やガス充填後にノズルが袋の口部から離脱した時には、引張手段の引張力でもって自動的に元位置まで復帰させることができる。
【００４３】
さらに、上記移動フレームに対するノズルの前後動機構によれば、常態においては、スプリング力によってノズルを脱気やガス充填が可能な前方位置まで突出させておくことができ、脱気やガス充填が完了した時に、移動フレームの往動端側に配設している回動アームの係合突起がノズル取付部材の下面に装着している摺動溝に係合して該回動アームの回動により円滑にノズルを後退させて袋の口部から離脱させることができる。さらに、回動アームの係合突起から摺動溝が離脱したときに、該ノズル取付部材の上面に突設している係合子が移動フレームの後方に配設された回動板の後面に当接、受止してノズルを後退位置に保持させることができ、この状態で、移動フレームを回動板に沿って復動させて待機位置側に復帰させることができる。
【図面の簡単な説明】
【図１】  シール機全体の簡略斜視図、
【図２】  その一側機枠部を後方から見た場合の簡略斜視図、
【図３】  挟持ベルトとシール用ベルトの断面図、
【図４】  挟持ベルトとシール用ベルトの駆動機構を示す横断面図、
【図５】  ノズルの移動機構の縦断側面図、
【図６】  その一部を省略した簡略平面図、
【図７】  その一部を省略した背面図、
【図８】  ノズルの前端部の簡略斜視図、
【図９】  その横断面図、
【図１０】  袋体の搬送開始時の簡略平面図、
【図１１】  挟持ベルトによって挟持された状態の縦断側面図。
【符号の説明】
Ａ  シール機
Ｂ  脱気兼ガス充填装置
Ｃ  袋
ｃ  袋の口部
１  機枠
２  ベルトコンベア
3A、3B  挟持ベルト
4A  4B  シール用ベルト
５  ノズル
5'  ノズル取付部材
６  移動フレーム
７  往復動機構
８  前後動機構
９  ノズル後退位置保持機構
10  脱気管路
11  ガス充填管路
【図１】
0003739253.tif 000002
【図２】
0003739253.tif 000003
【図３】
0003739253.tif 000004
【図４】
0003739253.tif 000005
【図５】
0003739253.tif 000006
【図６】
0003739253.tif 000007
【図７】
0003739253.tif 000008
【図８】
0003739253.tif 000009
【図９】
0003739253.tif 000010
【図１０】
0003739253.tif 000011
【図１１】
0003739253.tif 000012